(57)【要約】【課題】１フレーム時間以上の測定時間を要する光センサを用いて、自動で定量的に液晶の応答速度補正機能の効果を判定する。【解決手段】表示パネルの応答速度を補正する補正制御を行う補正手段と、前記表示パネルの所定の測定領域における輝度を測定する測定手段と、前記測定領域に動画像である測定用画像を表示させる表示制御手段と、前記測定手段による複数フレームにわたる輝度の時間積分による測定値に基づき前記補正制御の効果を判定する判定手段と、を備え、前記判定手段は、前記補正制御を有効にして前記測定用画像を表示させた場合の前記測定手段による第１測定値と、前記補正制御を無効にして前記測定用画像を表示させた場合の前記測定手段による第２測定値と、に基づき前記補正制御の効果を判定することを特徴とする判定装置。【選択図】図１
2018056717.tif 000002
【特許請求の範囲】
【請求項１】
表示パネルの応答速度を補正する補正制御を行う補正手段と、
前記表示パネルの所定の測定領域における輝度を測定する測定手段と、
前記測定領域に動画像である測定用画像を表示させる表示制御手段と、
前記測定手段による複数フレームにわたる輝度の時間積分による測定値に基づき前記補正制御の効果を判定する判定手段と、
を備え、
前記判定手段は、
前記補正制御を有効にして前記測定用画像を表示させた場合の前記測定手段による第１測定値と、
前記補正制御を無効にして前記測定用画像を表示させた場合の前記測定手段による第２測定値と、に基づき前記補正制御の効果を判定することを特徴とする判定装置。
【請求項２】
前記判定手段は、前記測定用画像の長さに応じた時間にわたる輝度の測定値に基づき前記補正制御の効果を判定する請求項１に記載の判定装置。
【請求項３】
前記判定手段は、
前記第１測定値と前記第２測定値との差が閾値以上の場合に、前記補正制御の効果が正常であると判定し、
前記第１測定値と前記第２測定値との差が閾値より小さい場合に、前記補正制御の効果が正常ではないと判定する請求項１又は２に記載の判定装置。
【請求項４】
前記表示パネルの温度を取得する取得手段をさらに備え、
前記閾値は、前記取得手段により取得された前記表示パネルの温度に応じた値に設定される請求項３に記載の判定装置。
【請求項５】
前記閾値は、前記取得手段により取得された前記表示パネルの温度が高いほど、小さい値に設定される請求項４に記載の判定装置。
【請求項６】
前記補正手段は、前記補正制御による補正の強度を、前記取得手段により取得された前記表示パネルの温度に応じて調整する請求項４又は５に記載の判定装置。
【請求項７】
前記閾値は、前記取得手段により取得された前記表示パネルの温度と、前記補正制御による補正の強度と、に応じた値に設定される請求項６に記載の判定装置。
【請求項８】
前記表示制御手段は、前記測定用画像として、前記表示パネルの画素を構成する色のうちの少なくとも１つの色の階調値が第１階調値から第２階調値への変化を繰り返す画素を含んで構成される動画像を前記測定領域に表示させる請求項１〜７のいずれか１項に記載の判定装置。
【請求項９】
前記表示制御手段は、前記測定用画像として、水平方向及び垂直方向の少なくともいずれかの方向において隣接する、前記表示パネルの画素を構成する色のうちの少なくとも１つの色の階調値が第１階調値である画素と第２階調値である画素とを含んで構成される第１フレームと、前記第１フレームにおける前記第１階調値の画素と前記第２階調値の画素の位置を入れ替えた第２フレームと、を含んで構成される動画像を前記測定領域に表示させる請求項１〜７のいずれか１項に記載の判定装置。
【請求項１０】
前記閾値は、
前記補正制御が有効かつ効果が正常である場合に、前記測定用画像を前記表示パネル
に表示させた場合の透過率の変化の情報と、
前記補正制御が無効である場合に、前記測定用画像を前記表示パネルに表示させた場合の透過率の変化の情報と、に基づき設定される請求項３〜７のいずれか１項に記載の判定装置。
【請求項１１】
前記表示制御手段は、前記測定用画像として、前記表示パネルの画素を構成する色のうちの少なくとも１つの色の階調値が第１階調値から第２階調値への変化を繰り返す画素を含んで構成される第１測定用画像を表示させ、
前記判定手段は、前記第１測定用画像を表示させた場合の前記測定手段による第３測定値と、基準輝度と、に基づき前記補正制御の効果を判定することを特徴とする請求項１に記載の判定装置。
【請求項１２】
前記表示制御手段は、前記測定用画像として、前記表示パネルの画素を構成する色のうちの少なくとも１つの色の階調値が第１階調値から第２階調値への変化を繰り返す画素を含んで構成され、繰り返しの頻度が前記第１測定用画像よりも少ない第２測定用画像をさらに表示させ、
前記判定手段は、前記第２測定用画像を表示させた場合の前記測定手段による第４測定値を前記基準輝度とする請求項１１に記載の判定装置。
【請求項１３】
前記第１測定用画像と前記第２測定用画像とは、フレーム数が同じであり、かつ、平均画像レベルが同じである請求項１２に記載の判定装置。
【請求項１４】
前記第１階調値、前記第２階調値、前記第１測定用画像において変化を繰り返す画素の階調値が前記第１階調値であるフレーム数及び前記第２階調値であるフレーム数に応じて予め定められた基準輝度の情報を記憶する記憶手段をさらに備え、
前記判定手段は、前記記憶手段から前記基準輝度を取得する請求項１１に記載の判定装置。
【請求項１５】
前記判定手段は、
前記表示パネルに前記第１階調値の画素から構成される静止画像を表示させた場合の前記測定手段による第５測定値と、
前記表示パネルに前記第２階調値の画素から構成される静止画像を表示させた場合の前記測定手段による第６測定値と、
を取得し、
前記第５測定値、前記第６測定値、前記第１測定用画像において変化を繰り返す画素の階調値が前記第１階調値であるフレーム数及び前記第２階調値であるフレーム数に基づき算出した値を前記基準輝度とする請求項１１に記載の判定装置。
【請求項１６】
前記判定手段は、
前記第３測定値と前記基準輝度とが等しい場合、前記補正制御の効果が正常であると判定し、
前記第３測定値と前記基準輝度とが異なる場合、前記補正制御の強度を調整する必要があると判定する請求項１１〜１５のいずれか１項に記載の判定装置。
【請求項１７】
前記補正手段は、
前記第３測定値が前記基準輝度より小さい場合、前記補正の強度を強くする調整を行い、
前記第３測定値が前記基準輝度より大きい場合、前記補正の強度を弱くする調整を行う請求項１１〜１６のいずれか１項に記載の判定装置。
【請求項１８】
前記第１階調値及び前記第２階調値は、前記補正制御の効果が最も現れやすい階調変化、又は、医療画像に現れる頻度が高い階調値に基づき設定される請求項８〜１７のいずれか１項に記載の判定装置。
【請求項１９】
前記判定手段による判定結果を通知する通知手段をさらに備えることを特徴とする請求項１〜１８のいずれか１項に記載の判定装置。
【請求項２０】
請求項１〜１９のいずれか１項に記載の判定装置を備えた表示装置。
【請求項２１】
表示パネルの応答速度を補正する補正制御を行う補正工程と、
前記表示パネルの所定の測定領域における輝度を測定する測定工程と、
前記測定領域に動画像である測定用画像を表示させる表示制御工程と、
前記測定工程による複数フレームにわたる輝度の時間積分による測定値に基づき前記補正制御の効果を判定する判定工程と、
を有し、
前記判定工程では、
前記補正制御を有効にして前記測定用画像を表示させた場合の前記測定工程による第１測定値と、
前記補正制御を無効にして前記測定用画像を表示させた場合の前記測定工程による第２測定値と、に基づき前記補正制御の効果を判定することを特徴とする判定装置の制御方法。
【発明の詳細な説明】
【技術分野】
【０００１】
本発明は、判定装置及びその制御方法、表示装置に関するものである。
【背景技術】
【０００２】
放射線画像を表示する医療用ディスプレイ、特にマンモグラフィ用のディスプレイでは、高度な品質管理を行うことを法律や、学会等の指針で要求されている。これに対応するため、例えばディスプレイの前面等に輝度を受光するセンサを設けて、階調特性を定期的に自動で検査することで、品質管理を厳密に行うディスプレイがある。
【０００３】
一方、マンモグラフィ等の放射線画像を複数の角度から撮影し、撮影した画像を再構成し、かつ動画のように連続して表示することで立体的な表示が可能となるトモシンセシスの技術が知られている。トモシンセシス画像は動画像の１つであるが、乳癌等の検診で使用されることから、毎フレームに正確な画像を表示することが求められている。そのため、液晶ディスプレイで表示する際には、１フレーム以内に液晶の応答速度が収まることが求められている。
【０００４】
しかしながら、液晶ディスプレイにおいては、通常の駆動では一部のフレーム間の階調遷移で、１フレーム以上の応答時間がかかってしまう。その液晶の応答速度を改善する技術として、例えばオーバードライブに代表される応答速度補正技術が提案されている（例えば、特許文献１）。
また、その応答速度補正機能の品質を管理するため、特定のテスト画像をディスプレイに表示させて、目視で応答速度の補正を確認できる技術が提案されている（例えば、特許文献２）。
さらに、ディスプレイの前方から、光センサを用いて液晶の応答時間を測定し、応答速度の補正を確認してオーバードライブの補正量を決定する技術が開示されている（例えば、特許文献３参照）。
【先行技術文献】
【特許文献】
【０００５】
【特許文献１】特開平１−１０２９９号公報
【特許文献２】米国特許出願公開第２０１３／０３３５３８２号明細書
【特許文献３】特開２０１０−００８８８２号公報
【発明の概要】
【発明が解決しようとする課題】
【０００６】
しかしながら、特許文献１及び２の技術では、品質管理を行うためにはユーザが目視評価する必要があり、人によってはその違いが確認しにくい課題があった。また人が目視で評価する必要があることから、定期的に品質管理する際にはユーザが立ち会う必要があり、ユーザの負担となっていた。また、特許文献３の技術では、測定時間が１フレーム時間よりはるかに短い時間（例えば、１フレーム時間の１／１００程度以下）の光センサを使用することが必要である。
【０００７】
しかしながら、前述の、ディスプレイの前面等に設ける輝度を受光するセンサは、表示画面の輝度を正確に測定できるよう、測定時間（積分時間）が長めに設定されている。例えば、白輝度では２フレーム時間〜１秒程度、黒輝度では数秒〜数十秒程度、測定時間を要するのが一般的である。この光センサを測定時間が１フレーム時間よりはるかに短い時間で用いた場合には、Ｓ／Ｎが低下する傾向があり、低輝度時又は、暗部での階調遷移に
おける応答速度の補正度合いを正しく測定できない場合があった。そのため、階調特性のみならず応答速度をも含めて定期的に自動で検査することで、品質管理を厳密に行うとともに、ユーザが立ち会う必要をなくし、ユーザの負担を軽減することが難しかった。
【０００８】
そこで、本発明は、１フレーム時間以上の測定時間を要する光センサを用いて、自動で定量的に液晶の応答速度補正機能の効果を判定することができる技術を提供することを目的とする。
【課題を解決するための手段】
【０００９】
本発明は、表示パネルの応答速度を補正する補正制御を行う補正手段と、
前記表示パネルの所定の測定領域における輝度を測定する測定手段と、
前記測定領域に動画像である測定用画像を表示させる表示制御手段と、
前記測定手段による複数フレームにわたる輝度の時間積分による測定値に基づき前記補正制御の効果を判定する判定手段と、
を備え、
前記判定手段は、
前記補正制御を有効にして前記測定用画像を表示させた場合の前記測定手段による第１測定値と、
前記補正制御を無効にして前記測定用画像を表示させた場合の前記測定手段による第２測定値と、に基づき前記補正制御の効果を判定することを特徴とする判定装置である。
【００１０】
本発明は、表示パネルの応答速度を補正する補正制御を行う補正工程と、
前記表示パネルの所定の測定領域における輝度を測定する測定工程と、
前記測定領域に動画像である測定用画像を表示させる表示制御工程と、
前記測定工程による複数フレームにわたる輝度の時間積分による測定値に基づき前記補正制御の効果を判定する判定工程と、
を有し、
前記判定工程では、
前記補正制御を有効にして前記測定用画像を表示させた場合の前記測定工程による第１測定値と、
前記補正制御を無効にして前記測定用画像を表示させた場合の前記測定工程による第２測定値と、に基づき前記補正制御の効果を判定することを特徴とする判定装置の制御方法である。
【発明の効果】
【００１１】
本発明によれば、１フレーム時間以上の測定時間を要する光センサを用いて、自動で定量的に液晶の応答速度補正機能の効果を判定することができる。
【図面の簡単な説明】
【００１２】
【図１】実施例１の判定装置の機能ブロック図
【図２】実施例１の試験画像の一例
【図３】液晶の応答波形の一例
【図４】実施例１の応答速度補正機能判定のフローチャート図
【図５】実施例２の判定装置の機能ブロック図
【図６】実施例２の応答速度補正機能判定のフローチャート図
【図７】実施例２の応答速度補正機能判定時の温度と閾値係数Ｋの関係の一例
【図８】実施例３の表示装置の機能ブロック図
【図９】実施例３の基準画像及び測定画像の一例
【図１０】実施例３の透過率遷移と基準輝度と応答輝度の一例
【図１１】実施例３の応答速度の測定のためのフローチャート
【図１２】実施例４の表示装置の機能ブロック図
【図１３】実施例４の基準画像及の一例
【図１４】実施例４の測定画像の一例
【図１５】実施例４の透過率遷移と基準輝度と応答輝度の一例
【図１６】実施例４の応答速度の測定のためのフローチャート
【発明を実施するための形態】
【００１３】
（実施例１）
以下、本発明の実施形態について図面を参照しながら説明する。
実施例１では、液晶パネルの前面に液晶素子を透過した光の輝度を測定する前面センサを有し、前面センサの直下の測定領域に動画像の測定用画像（テストチャート）を表示させた場合の輝度の時間積分を測定値として取得する。液晶の応答速度補正機能がオンの場合の測定値とオフの場合の測定値との差分が理論上の差分以上であるかどうか判定し、判定結果を通知する。これにより、常に同じ品質基準で、かつユーザが目視で確認する負担を低減した、定量的な応答速度補正機能の品質判定を行うことが可能となる。
【００１４】
図１は実施例１における判定装置を有する表示装置の機能ブロック図を示す。図１の表示装置は、液晶パネル１、バックライト２、画像入力Ｉ／Ｆ部３、ユーザ入力Ｉ／Ｆ部４、制御部５、パターン生成部６、画面合成部７、応答速度補正部８、前面センサ９、変化量管理部１０、品質管理部１１、出力Ｉ／Ｆ部１２で構成される。
【００１５】
液晶パネル１は、液晶ドライバ、入力される画像信号に基づき液晶ドライバをコントロールするコントロール基板、バックライトからの光を画像信号に基づく透過率で透過させることで画像を表示する液晶パネルを含んで構成される。
【００１６】
バックライトモジュール部２は、光源、光源を制御する制御回路、光源からの光を拡散させるための光学ユニットを含んで構成される。光源はＬＥＤ（Light Emitting Diode）やＣＣＦＬ（Cold Cathode Fluorescent Lamp）等を用いることができる。
【００１７】
画像入力Ｉ／Ｆ部３は、表示装置に画像信号を入力するためのインターフェースである。画像入力Ｉ／Ｆ部３は、例えば、ディスプレイポート、ＤＶＩ、ＨＤＭＩ（登録商標）等である。実施例１では、図示しないワークステーション等の画像信号源から医療画像の画像信号が入力されるものとする。なお、どのような画像信号が入力される表示装置にも本発明は適用できる。画像入力Ｉ／Ｆ部３は、入力される画像信号を画面合成部７へ出力する。
【００１８】
ユーザ入力Ｉ／Ｆ部４は、ユーザ操作の要求を受け付けるインターフェースで、後段の制御部５へユーザ要求を出力する。ユーザ入力Ｉ／Ｆ部４は、表示装置の前面に設置されるメニュー等の押しボタンやタッチパネル等により構成される。ユーザは、ユーザ入力Ｉ／Ｆ部４を介して、液晶の応答速度補正機能の判定開始の指示を表示装置に入力することができる。
【００１９】
制御部５は、ユーザ入力Ｉ／Ｆ部４からの要求を受けて、液晶パネル１の応答速度補正機能の判定を行うための制御を行う。応答速度補正機能の判定方法の詳細は後述する。
【００２０】
パターン生成部６は、液晶パネル１における前面センサ９による測定領域に表示させる動画像の測定用画像を生成する。パターン生成部６は、制御部５からの指示を受けて、応答速度補正機能の判定で使用する測定用画像（試験画像）を生成し、画面合成部７へ送信する。試験画像としては、例えば、図２（Ａ）及び図２（Ｂ）に示す画像から構成される動画像を例示できる。試験画像は、フレーム毎に図２（Ａ）及び図２（Ｂ）の画像が切り
替わる動画像である。図２（Ａ）及び図２（Ｂ）の画像は、明るい階調値Ｌｗの画素と暗い階調値Ｌｂの画素を上下方向及び左右方向に交互に配置した画像である。図２（Ａ）の画像と図２（Ｂ）の画像の違いは、図２（Ａ）の画像において階調値Ｌｗの画素は、図２（Ｂ）の画像では階調値Ｌｂの画素になる。図２（Ａ）の画像において階調値Ｌｂの画素は、図２（Ｂ）の画像では階調値Ｌｗの画素となる。
なお、測定用画像は、次のような第１フレームと第２フレームとを含んで構成される動画像としてもよい。第１フレームは、水平方向及び垂直方向の少なくともいずれかの方向において隣接する第１階調値の画素と第２階調値の画素とを含んで構成される。第２フレームは、第１フレームにおける第１階調値の画素と第２階調値の画素の位置を入れ替えたフレームである。
なお、試験画像として、暗い中間階調（グレー階調）のフレームから明るい中間階調（グレー階調）のフレームへの変化を繰り返す動画像を例示したが、試験画像はこれに限らない。例えば、液晶パネルの画素を構成する色（Ｒ，Ｇ，Ｂ）毎に第１階調値Ｌｂと第２階調値Ｌｗの値を変更してもよい。また、液晶パネルの画素を構成する色（Ｒ、Ｇ、Ｂ）のうちの少なくとも１つの色の階調値が第１階調値から第２階調値への変化を繰り返す画素を含んで構成される動画像を試験画像としてもよい。この試験画像は、１色又は２色の階調値のみ遷移する動画像となる。また使用する液晶パネルの特性に応じて、応答速度補正機能の効果が最も現れやすい階調遷移を考慮して第１階調値Ｌｂと第２階調値Ｌｗの値を決定してもよい。又は、医療画像を統計的に分析し、現れる頻度が高い階調を抽出して第１階調値Ｌｂと第２階調値Ｌｗを決定してもよい。
【００２１】
画面合成部７は、液晶パネル１における前面センサ９による測定領域に動画像の測定用画像を表示させるための表示制御を行う。画面合成部７は、制御部５からの指示を受けて、入力画像に対し、所定の測定領域（前面センサの直下の位置）の画像データを、パターン生成部６で生成した試験画像の画像データで置換し、置換処理後の画像を後段の応答速度補正部８へ出力する。
【００２２】
応答速度補正部８は、液晶パネル１の応答速度を補正する補正制御を行う。第１フレーム（過去のフレーム）に続き第２フレーム（現在のフレーム）が入力されるとする。応答速度補正部８は、液晶の画素毎の透過率が、第２フレームの入力から所定の時間（実施例１では１フレーム）内に第２フレームの画像データに応じた透過率に遷移できるよう、第２フレームの画像データを補正する。補正方法は、例えば第１フレームの階調と第２フレームの階調を比較して、比較の結果に応じて第２フレームの階調値を補正する。例えば、第２フレームの階調値の方が第１フレームの階調値より大きい場合、画像データを加算する。このような応答速度補正制御はオーバードライブと呼ばれる。なお、液晶の応答速度を補正する技術は、上記のオーバードライブに限定されるものではない。応答速度補正部８は、補正後の画像データを液晶パネル１へ出力する。また、応答速度補正部８は、制御部５からの指示により、応答速度補正制御のオン（有効）又はオフ（無効）を切り換える。
【００２３】
前面センサ９は、液晶パネル１の所定の測定領域における輝度を測定する。測定領域は、前面センサの直下の領域である。前面センサ９は、制御部５からの測定タイミングや測定時間を含む指示を受けて、所定の測定時間、前面センサ直下の液晶パネル１から発せられる光の輝度の時間積分を測定する。前面センサ９は、変化量管理部１０からの要求に応じて、測定値を変化量管理部１０へ転送する。
【００２４】
変化量管理部１０は、制御部５からの指示を受けて前面センサ９に対し、測定値を送信するように要求し、前面センサ９から受信した測定値を保持する。変化量管理部１０は、応答速度補正部８の補正制御を有効にした場合の前面センサ９による測定値である第１測定値と、応答速度補正部８の補正制御を無効にした場合の前面センサ９による測定値であ
る第２測定値と、の両者を保持する。そして、その差分を求めて、制御部５に出力する。
【００２５】
品質管理部１１は、前面センサ９による複数フレームにわたる輝度の時間積分による測定値に基づき、応答速度補正部８による補正制御の効果を判定する。品質管理部１１は、制御部５から変化量管理部１０で計算した測定値の差分を受信し、応答速度補正部８による補正制御が適切に動作しているかを判定する。品質管理部１１は、判定結果を出力Ｉ／Ｆ１２へ出力する。
【００２６】
出力Ｉ／Ｆ部１２は、品質管理部１１の判定結果をユーザに通知するインターフェースである。例えば、表示装置の外装にＬＥＤのランプを設けて、応答速度補正機能が適切に動作していると判定された場合はＬＥＤランプを青色に点灯し、適切に動作していないと判定された場合はＬＥＤランプを赤色で点灯する。なお、判定結果の通知方法はこの例に限らない。例えば、表示装置の画面内に警告画面を表示してユーザに通知する構成でもよい。
【００２７】
次に、応答速度補正機能判定の原理と詳細なフローチャートについて説明する。
図２（Ａ）、図２（Ｂ）のような暗い階調から明るい階調への遷移を繰り返す画像を表示する場合、液晶の応答速度補正機能を有効にする場合の方が、応答速度補正機能を無効にする場合と比べて、表示輝度が高くなる。図３を用いて、その原理を説明する。
【００２８】
図３は、横軸に時間、縦軸に透過率を示し、画素の明るさが暗い→明るい→暗いと変化した場合の、画素の液晶の透過率の遷移の様子を示す。図３の応答遷移Ａは、応答速度補正機能が有効の場合の液晶の透過率の遷移を示し、応答遷移Ｂは、応答速度補正機能が無効の場合の液晶の透過率の遷移を示す。応答遷移Ａが示すように、応答速度補正機能が有効な場合、透過率は１フレーム内に画像データに応じた目標透過率に到達することができる。一方、応答速度補正機能が無効の場合、透過率は、１フレーム以内に目標透過率に到達することができない。図３の応答遷移Ａと応答遷移Ｂと比べると、２フレームで図３の斜線に示した面積分だけ液晶を透過する光の量に差が生じ、前面センサで表示輝度を測定すると、応答速度補正機能が有効の場合には、無効の場合と比較して、この面積分、測定される輝度が高くなる。図２（Ａ）、図２（Ｂ）にように、明るい画素と暗い画素を交互に配置し、フレーム単位で階調値を入れ替えると、画素面積が人間の目の分解能程度の大きさの場合、Ｌｂに対応する輝度とＬｗに対応する輝度の平均の輝度で測定領域内は一様に見える。上記のように、応答速度補正機能が有効の場合、無効の場合より、明るい画素の表示輝度が高くなる。そのため、応答速度補正機能が有効な場合（図２（Ｃ））の方が、無効の場合（図２（Ｄ））に比べて、明るく見える。
【００２９】
この原理に基づき、実施例１では、応答速度補正機能の効果を判定するために、応答速度補正機能がオンの場合とオフの場合のそれぞれの輝度の測定値の差分を求める。そして、その差分が閾値以上である場合に、応答速度補正機能の効果が正常である（適切に動作している）と判定する。閾値は、次の２つの情報に基づき設定することができる。応答速度補正機能が有効かつ効果が正常である表示パネルに測定用画像を表示させた場合の透過率の変化（図３の応答遷移Ａ）の情報と、応答速度補正機能が無効である表示パネルに測定用画像を表示させた場合の透過率の変化（図３の応答遷移Ｂ）の情報である。閾値は、図３の斜線部の面積に基づき推測した輝度差の値に対し、液晶パネルの個体差や測定誤差を考慮した修正を加えることで設定してもよい。閾値は、応答速度補正機能が正常に動作していることがわかっている複数の表示装置において、補正機能が有効の場合と無効の場合の輝度を測定値の差分を求め、その差分の最小値に基づき決定してもよい。
【００３０】
応答速度補正機能判定のためのフローチャートを図４に示す。以下、図４に示す各ステップについて詳細に説明する。
ステップＳ１では、試験画像を前面センサ直下の測定領域に所定の時間表示する処理が行われる。ステップＳ１において、制御部５は、パターン生成部６に対し予め定めた試験画像を前面センサ直下の測定領域に表示するように指示を出す。パターン生成部６は、指示を受けると、試験画像が前面センサ直下の測定領域に表示するための処理を行う。試験画像は、図２（Ａ）、図２（Ｂ）の画像をフレーム単位で繰り返し表示する。試験画像を表示する時間は、試験画像の動画像としての長さに応じて設定される。
【００３１】
ステップＳ２では、応答速度補正機能がオンの場合に試験画像を表示したときの測定領域の輝度（輝度値Ｌ１）の測定が行われる。ステップＳ２において、制御部５は前面センサ９に対し、所定の時間の積分による輝度の測定値を出力するよう指示する。ここでは測定時間は１秒とする。前面センサ９は、所定の時間の時間積分による輝度Ｌ１を測定する。前面センサ９が積分輝度を測定する時間は、測定用画像の長さに応じて設定してもよい。例えば、測定用画像が２フレームの動画像であれば、測定時間は２フレーム以上とし、測定用画像が１秒の動画像であれば、測定時間は１秒以上とすることができる。
【００３２】
ステップＳ３では、測定輝度Ｌ１を保存する処理が御今割れる。ステップＳ３では、変化量管理部１０が前面センサ９に対し、測定値Ｌ１を変化量管理部１０へ出力するように要求し、変化量管理部１０は前面センサ９から受信した測定値Ｌ１を保存する。
【００３３】
ステップＳ４では、応答速度補正機能をオフにする処理が行われる。ステップＳ４では、制御部５が応答速度補正部８に対し応答速度補正をオフにするよう指示する。
【００３４】
ステップＳ５では、前面センサを用いて応答速度補正機能がオフの場合に試験画像を表示したときの測定領域の輝度（輝度値Ｌ２）の測定が行われる。ステップＳ５では、ステップＳ２と同様の処理が行われる。
【００３５】
ステップＳ６では、変化量管理部１０が前面センサ９から測定値Ｌ２を受信し、保存した測定値Ｌ１との差分ΔＬ（＝Ｌ１−Ｌ２）を計算する。
【００３６】
ステップＳ７では、制御部５が変化量管理部１０で計算された差分ΔＬを受信し、品質管理部１１へ転送する。品質管理部１１は、予め保存された閾値Ｋと差分ΔＬを比較する。ΔＬ≧Ｋの場合はステップＳ８へ、ΔＬ＜Ｋの場合はステップＳ９へ遷移する。
【００３７】
ステップＳ８では、品質管理部１１は、応答速度補正機能は適切に動作していると判定する。品質管理部１１は、応答速度補正部８の補正制御を有効にした場合の輝度の第１測定値と、補正制御を無効にした場合の輝度の第２測定値との差が閾値以上の場合に、補正制御の効果が正常であると判定する。
【００３８】
ステップＳ９では、品質管理部１１は、応答速度補正機能が適切に動作していないと判定する。品質管理部１１は、応答速度補正部８の補正制御を有効にした場合の輝度の第１測定値と、補正制御を無効にした場合の輝度の第２測定値との差が閾値より小さい場合に、補正制御の効果が正常でないと判定する。
【００３９】
ステップＳ１０では、品質管理部１１が判定した判定結果をユーザに通知するため、結果に応じたＬＥＤランプで表示するように、品質管理部１１は出力Ｉ／Ｆ１２に指示する。実施例１では、品質管理部１１は、応答速度補正機能の効果が正常である場合、ＬＥＤランプを青色に点灯させ、正常でない場合、ＬＥＤランプを赤色に点灯させる。
【００４０】
実施例１によれば、常に同じ品質基準で、かつユーザが目視で確認する負担を低減した、定量的な応答速度補正機能の品質判定を行うことが可能となる。
【００４１】
（実施例２）
液晶の応答速度は、液晶の温度が低い場合は応答速度が遅くなり、温度が高い場合は、応答速度は速くなる。そのため、液晶の温度に応じて応答速度補正機能のオンとオフの場合の輝度の測定値の差分は変化することから、応答速度補正機能判定で用いる閾値Ｋも温度に応じて調整することが望ましい。そこで実施例２では、実施例１で示した表示装置の構成に温度センサを設けて、温度に応じて閾値Ｋを調整する。これにより、温度が変化した際にも、適切に応答速度補正機能判定が実行できる。以下、実施例２について詳細に説明する。
【００４２】
図５は、実施例２における判定装置を有する表示装置の機能ブロック図を示す。図５において、表示装置は、液晶パネル１、バックライト２、画像入力Ｉ／Ｆ部３、ユーザ入力Ｉ／Ｆ部４、制御部１０２、パターン生成部６、画面合成部７、応答速度補正部８を有する。さらに、前面センサ９、変化量管理部１０、品質管理部１１、出力Ｉ／Ｆ部１２、温度センサ機能部１０１を含んで構成される。実施例１で説明した機能部については説明を省略する。
【００４３】
温度センサ機能部１０１は、液晶パネルの表面温度を測定する。温度センサ機能部１０１は、液晶パネルの表面温度を直接センサにより測定してもよいし、バックライトと外気温の温度を検出できるセンサをそれぞれ設けて、それぞれのセンサの値から、液晶パネルの表面温度を推定してもよい。温度センサ機能部１０１は、こうして取得した液晶パネルの温度の情報を制御部１０２へ送信する。なお、温度センサを複数配置する場合は、少なくとも１つの温度センサは輝度を測定する前面センサの周辺にあることが望ましい。
【００４４】
制御部１０２は、温度センサ機能部１０１から取得した温度の測定結果を反映した応答速度補正機能判定を実行する。詳細なフローチャートを図６に示す。図６で、実施例１で説明したステップと同様の処理については説明を省略する。
【００４５】
ステップＳ２０１では、温度の測定値を取得する処理が行われる。このステップは、温度センサ機能部１０１が、制御部１０２から要求を受けた後に測定した温度値を制御部１０２へ出力する。
【００４６】
ステップＳ２０２では、ステップＳ７で使用する閾値Ｋを温度センサ機能部１０１から取得した液晶パネル１の温度に応じた値に設定する。実施例２では、このステップは制御部１０２が、温度センサ値の結果からルック・アップ・テーブルを用いて修正したＫの値を求める。温度が高くなると液晶の応答速度は高くなり、逆に温度が低くなると、応答速度は遅くなる。図３の応答遷移の波形から、温度が高い場合、応答遷移Ｂの透過率の最大値が大きくなることから、応答遷移Ａと応答遷移Ｂの波形が近くなる。そのため、図３の斜線部で示す積分面積は小さくなることから、閾値Ｋは小さくなる。反対に温度が低くなって応答速度が遅くなると、応答遷移Ｂの透過率の最大値の高さが低くなることから、図３の斜線で示す積分面積は大きくなる。従って、閾値Ｋは大きくなる。そのため、温度値と閾値Ｋの関係は図７に示すようになる。図７は、横軸に温度値、縦軸にＫの値を示す。表示装置の温度値が下がってくると液晶の速度は遅くなることから、閾値Ｋは大きくなる。一方、温度が上がってくると液晶の応答速度は速くなり、閾値は小さくなる。このように、閾値は、温度センサ機能部１０１から取得した液晶パネル１の温度が高いほど、小さい値に設定される。なお、図７にカーブは一例であり、液晶デバイスの温度と応答速度の関係に応じて決定すればよい。
【００４７】
このように、温度センサ機能部を設けて、温度に応じて判定閾値Ｋを調整する。これにより、温度が変化した際にも、適切に応答速度補正機能判定が実行できる。
なお、実施例２では、応答速度補正機能について、温度による調整を実行していないが、温度に応じて応答速度補正機能の調整を行ってもよい。すなわち、応答速度補正部８による補正制御の強度を、温度センサ機能部１０１から取得した液晶パネル１の温度に応じて調整してもよい。その場合は、閾値Ｋのテーブルも応答速度補正の調整に応じた変更を行う。すなわち、閾値は、温度センサ機能部１０１から取得した液晶パネル１の温度と、応答速度補正部８による補正制御の強度と、に応じた値に設定してもよい。
【００４８】
（実施例３）
本発明の実施例３では、表示画面から出力された光の輝度値を測定可能な前面輝度センサで、動画状のテスト画像を表示させた際の積分輝度を用いた応答速度の測定方法、及び、測定結果を用いた応答速度補正方法について、以下に説明する。
【００４９】
図８は実施例３における、液晶パネルを有した表示装置の機能ブロック図を示す。
図８の表示装置は、液晶パネル１、バックライト２、画像入力Ｉ／Ｆ部３、ユーザ入力Ｉ／Ｆ部４、制御部５、パターン生成部６、画面合成部７、応答速度補正部８、前面センサ９、変化量管理部１０で構成される。実施例１で説明した同じ機能については、説明を省略する。
【００５０】
制御部５は、ユーザ入力Ｉ／Ｆ部４からの要求を受けて、液晶パネル１の応答速度の測定を行うとともに、応答速度補正機能の補正制御を定期的に行う。
【００５１】
パターン生成部６は、制御部５からの指示を受けて応答速度を測定する際に、液晶パネル１のフレーム周期のｎ倍の動画状の画像データを生成し、画面合成部７へ画像データを送信する。
なお、実施例３における画像データは、制御部５の指示により、基準輝度測定用の基準画像又は、応答輝度測定用の試験画像が生成される。また、基準画像は、別の信号源が発生するテスト画像データを画像入力Ｉ／Ｆ部３から入力して用いてもよい。
【００５２】
基準画像は、液晶パネル１の画素を構成する色のうち少なくとも１つの色の階調値が第１階調値から第２階調値への変化を繰り返す画素を含んで構成され、繰り返しの頻度が後述する試験画像より少ない第２測定用画像である。例えば、図９（Ａ）に示す動画状の６フレームからなる画像データ群を用い、明るい画像データＬｗと暗い画像データＬｂを画素毎に配置するとともに、３フレーム単位でＬｗとＬｂを入れ替える。
１フレーム目にＬｗのデータの画素は、２〜３フレーム目もＬｗであり、４〜６フレーム目はＬｂとなる。
１フレーム目にＬｂのデータの画素は、２〜３フレーム目もＬｂであり、４〜６フレーム目はＬｗとなる。
なお、図９では、１画素おきにＬｗとＬｂを配置する１ｘ１からなるチェカー状の画像データとしているが、２ｘ２からなるチェカー状の画像データや全画面同一階調からなるラスター画像データであってもよい。
【００５３】
試験画像は、液晶パネル１の画素を構成する色のうち少なくとも１つの色の階調値が第１階調値から第２階調値への変化を繰り返す画素を含んで構成される第１測定用画像である。例えば、図９（Ｂ）に示す動画状の画像データ群を用い、明るい画像データＬｗと暗い画像データＬｂを画素毎に配置するとともに、こちらは１フレーム毎にＬｗとＬｂを入れ替え、遷移回数が異なる。
１フレーム目でＬｗのデータの画素は、３、５フレーム目でもＬｗであり、２、４、６フレーム目ではＬｂとなる。
１フレーム目でＬｂのデータの画素は、３、５フレーム目でもＬｂであり、２、４、６フレーム目ではＬｗとなる。
なお、基準画像と試験画像のフレーム数は同一でかつ、６フレーム間の平均画像レベル（ＡＰＬ）は同じであることが望ましい。基準画像と試験画像とは、上記のように、第１階調値から第２階調値への階調遷移回数が異なる。フレーム数が同一であるから、階調遷移頻度（周波数）が異なるとも言える。
また、応答速度の計算に用いる基準輝度を測定により取得する必要がなければ、基準画像を生成しなくてよい。
【００５４】
画面合成部７は、実施例１との違いは、パターン生成部６で生成した基準画像又は試験画像を合成する点である。
実施例３では、応答速度補正部８による補正がオンの状態において、応答速度の測定を行うこととする。
【００５５】
なお、低輝度時又は、暗部での階調遷移で輝度センサのＳ／Ｎが低い場合は、前面センサ９は、テストパターンのフレーム数及び積分輝度を取得する際の時間の変更を促すフラグを制御部５に送信する。
また、測定時間は、基準画像及び試験画像のフレーム数と揃えることが望ましく、実施例３では、測定時間は６フレーム分の期間で約０．３６ｍｓｅｃとする。
ただし、基準画像及び試験画像のフレーム数と測定時間の対応関係がわかっていれば、表示輝度や階調データによって測定時間と試験画像のフレーム数を整数倍の関係に変更してもよい。
【００５６】
変化量管理部１０は、第２測定用画像（基準画像）を表示させた場合の前面センサ９による輝度の時間積分による測定値（第４測定値）を、基準輝度として保持する。変化量管理部１０は、第１測定用画像（試験画像）を表示させた場合の前面センサ９による輝度の時間積分による測定値（第３測定値）を、応答輝度として保持する。
また、基準画像表示時の積分輝度である基準輝度と、試験画像表示時の積分輝度である応答輝度の両方の輝度からその比率を求めて、制御部５に出力する。
【００５７】
図１０は、液晶の透過率遷移と、前面センサの積分輝度と積分輝度から求めた基準輝度と応答輝度の関係を示す。詳しくは、横軸に時間、縦軸に液晶の透過率を示し、画素の明るさが暗い→明るい→暗いと変化した場合の、前面センサ直下に表示された領域の液晶の透過率遷移と、前面センサの積分輝度から求める基準輝度及び応答輝度とを一例として表している。
また、図１０は、応答速度補正が適正に行われていない場合と、応答速度補正が適正に行われている場合の基準輝度と応答輝度との関係とを表す図でもある。
【００５８】
図１０（Ａ）は、透過率遷移と基準輝度の関係の一例を示し、基準画像を表示した際の透過率遷移を示す透過率遷移ａを６フレーム期間積分した積分輝度ａが基準輝度となる。
なお、基準輝度の測定用いる基準画像は、試験画像より遷移頻度が少ない画像データ群であるため、液晶の応答遅れによる輝度低下又は輝度上昇の影響を受けにくいため、応答速度を判定する際に基準輝度として定義している。
また、実施例３では、画像データ群を６フレーム期間としているが、画像データ群に低階調が含まれる場合等、画像データ群と測定期間を例えば３０フレーム等に増やすことで、積分輝度の測定精度を維持してもよい。
【００５９】
図１０（Ｂ）と図１０（Ｃ）は、透過率遷移と応答輝度の関係の一例を示し、試験画像を表示した際の透過率遷移を示す透過率遷移を６フレーム期間積分した積分輝度が応答輝度となる。
なお、図１０（Ｂ）と図１０（Ｃ）は、液晶の温度の違い等で生じる応答速度の差を示す図で、試験画像や測定条件は同一であるものとする。
【００６０】
図１０（Ｂ）は、試験画像を表示した際の透過率遷移ｂと、透過率遷移ｂを６フレーム期間の積分した輝度である積分輝度ｂの関係の一例を示し、積分輝度ｂを応答輝度１と定義する。
応答輝度１は、基準輝度に対し７５％となっているため、基準とする液晶の応答速度より遅れが生じている状態であると判定できる。
【００６１】
図１０（Ｃ）は、試験画像を表示した際の透過率遷移ｃと、透過率遷移ｃを６フレーム期間の積分した輝度である積分輝度ｃの関係の一例を示し、積分輝度ｃを応答輝度２と定義する。
応答輝度２は、基準輝度と同じ１００％となっているため、基準とする液晶の応答速度と動画表示時の液晶の応答速度が同等の状態であると判定できる。
以上のように、実施例３では、第１測定用画像（試験画像）を表示させた場合の前面センサ９による測定値である第３測定値（応答輝度）と、基準輝度と、に基づき応答速度補正部８の補正制御の効果を判定する。ここでは、第２測定用画像（基準画像）を表示させた場合の前面センサ９による測定値である第４測定値を基準輝度とする例を説明する。
【００６２】
次に、応答速度の測定のためのフローチャートを図１１に示す。
以下、図１１に示す各ステップについて詳細に説明する。
【００６３】
ステップＳ１１では、試験画像の表示条件、及び測定条件を決定する。
【００６４】
ステップＳ１２では、基準輝度（Ｌ０）を取得する。
【００６５】
ステップＳ１３では、応答輝度測定用の試験画像を前面センサ直下のエリアに所定の時間表示する。このステップＳ１３は、制御部５がパターン生成部６に対し予め定めた試験画像を前面センサ直下のエリアに所定（実施例３では６フレームとする）の時間表示するように指示を出す。パターン生成部６は、指示を受けた後、指示通り試験画像を前面センサ直下のエリアに所定の時間表示する。なお、試験画像としては、図９（Ｂ）で示した画像を表示する。
【００６６】
ステップＳ１４では、前面センサを用いて試験画像が表示された状態での試験画像表示エリアの積分輝度を測定する。このステップＳ１４は、制御部５が前面センサ９に対し、所定（実施例３では６フレームとする）の時間の積分輝度を測定するように指示する。指示を受けた前面センサ９は、所定の時間測定して積分輝度ｂを得る。
【００６７】
ステップＳ１５では、変化量管理部１０が前面センサ９に対し、測定した積分輝度ｂを変化量管理部１０へ出力するように要求し、変化量管理部１０は前面センサ９から受信した積分輝度ｂを応答輝度（Ｌ１）として保存する。
【００６８】
ステップＳ１６では、変化量管理部１０が前面センサ９から応答輝度（Ｌ１）を受信し、保存した基準輝度（Ｌ０）との応答率ＯＤｋ＝Ｌ１／Ｌ０を計算する。
【００６９】
ステップＳ１７では、制御部５が変化量管理部１０で計算した応答率ＯＤｋを受信して、応答速度補正部８に応答率ＯＤｋを送信する。また、応答速度補正部８では、受信した応答率ＯＤｋを基に、応答輝度（Ｌ１）が基準輝度（Ｌ０）に近づくように応答速度補正の補正値を決定することにより、液晶の温度変化によって液晶の応答速度が変化した場合も良好な動画表示を提供できる。
【００７０】
なお、実施例３では、応答速度補正がオンの状態において、応答速度の測定を行うこと
としているが、応答速度補正をオフ、又はオンとオフの状態で測定して、応答速度の判定を行ってもよい。
この場合は、応答速度補償手段が有効な場合と無効な場合の積分輝度によって応答速度補償手段の品質を判定することにより、応答速度補償手段が期待されるとおりに機能しているか品質判定する判定装置又はその一部として用いることもできる。
つまり、画面上部に設けた輝度センサで動画状の各テスト画像を表示した際に測定した基準輝度と応答輝度とを比較することで、応答速度補正機能の品質を自動で確認することが可能となる。
また、応答率ＯＤｋを基に、応答輝度が基準輝度に近づくように、応答速度補正の補正値を作成することで、液晶の温度が変化する等して液晶自体の応答速度が変化した際にも所望の動画表示性能を提供可能となる。
【００７１】
実施例３では、変化量管理部１０が、基準画像を表示させたときの前面センサ９による測定値に基づいて基準輝度を取得する例を説明した。基準輝度の取得方法は実測による方法に限らない。例えば、第１階調値、第２階調値、第１測定用画像（試験画像）において変化を繰り返す画素の階調値が第１階調値であるフレーム数及び第２階調値であるフレーム数に応じて予め定められ記憶手段に記憶されている情報を取得する方法でもよい。例えば、図９の例では、第１測定用画像（試験画像）において、第１階調値と第２階調値とで変化を繰り返す画素（例えば最も左上の画素）が、第１階調値（Ｌｂ）であるフレーム数は３、第２階調値（Ｌｗ）であるフレーム数は３である。試験画像と基準画像のＡＰＬが同じという条件下では、基準画像においても、当該画素は、３フレームで第１階調値、３フレームで第２階調値である。基準画像における階調変化パターンは、図９の例のように３フレームが連続で第１階調値、続く３フレームが連続で第２階調値である階調変化パターンである。このような階調変化パターンを表示させた場合の前面センサによる測定値を予め求めて記憶手段に記憶させておいてもよいし、モデル計算により前面センサによる測定値の推定値を予め求めて記憶手段に記憶させておいてもよい。
【００７２】
また、次のような方法で基準輝度を取得することもできる。液晶パネルに第１階調値の画素から構成される静止画像を表示させた場合の前面センサによる測定値（第５測定値）と、液晶パネルに第２階調値の画素から構成される静止画像を表示させた場合の前面センサによる測定値（第６測定値）とを取得する。そして、第５測定値、第６測定値、第１測定用画像（試験画像）において変化を繰り返す画素の階調値が第１階調値であるフレーム数及び第２階調値であるフレーム数に基づき基準輝度を算出する。第１階調値のフレーム数３，第２階調値のフレーム数３とすると、基準画像が、ほぼ静止画像とみなせるほど階調変化頻度が少ない場合は、３フレーム分の第５測定値と３フレーム分の第６測定値とを加算した値に基づき、基準輝度を推測することができる。
【００７３】
（実施例４）
次に、実施例３とは異なるテスト画像を用いた、応答速度の測定方法について、以下に説明する。
図１２は、実施例４における、液晶パネルを有した表示装置の機能ブロック図を示す。
図１２の表示装置は、実施例３との差分は、パターン生成部６に変わって基準画像生成部１３と試験画像生成部１４が設けた構成となっている点である。なお、実施例３と共通の構成部分に関しては、説明を省略する。
【００７４】
基準画像生成部１３は、基準輝度を測定する際に、制御部５からの指示を受け、液晶パネル１のフレーム周期のｎ倍の動画状の画像データである基準画像を生成し、画面合成部７へ画像データを送信する。基準画像としては、例えば、図１３（Ａ）及び図１３（Ｂ）に示す動画状の６フレームからなる画像データ群を用いる。
【００７５】
図１３（Ａ）は、立ち上り時の輝度測定に用いる基準画像で、１〜２フレーム目が暗い画像データＬｂだった画素は、３〜４フレーム目は明るい画像データＬｗが配置され、５〜６フレーム目は暗い画像データＬｂが配置される。
図１３（Ｂ）は、立ち下がり時の輝度測定に用いる基準画像で、１〜２フレーム目が明るい画像データＬｗだった画素は、３〜４フレーム目は暗い画像データＬｂが配置され、５〜６フレーム目は明るい画像データＬｗが配置される。
【００７６】
なお、立ち上り時の輝度測定に用いる基準画像を基準画像Ｔｒと定義し、立ち下がり時の輝度測定に用いる基準画像を基準画像Ｔｆと定義する。
基準画像Ｔｒは、立ち上り時の基準輝度測定に用いるため、暗い画像データＬｂから明るい画像データＬｗに遷移する際の階調維持期間を少なくとも２フレーム以上長く設けることが望ましい。
同様に基準画像Ｔｆは、立ち下がり時の基準輝度測定に用いるため、明るい画像データＬｗから暗い画像データＬｂに遷移する際の階調維持期間を少なくとも２フレーム以上長く設けることが望ましい。
【００７７】
図１４（Ａ）は、立ち上り時の応答輝度測定に用いる試験画像Ｔｒで、１フレーム目と、３〜４フレーム目と、６フレーム目は暗い画像データＬｂで、２フレーム目と５フレーム目は明るい画像データＬｗが配置される。
試験画像Ｔｒは、立ち上り時の応答輝度測定に用いるため、明るい画像データＬｗの前後フレームは暗い画像データＬｂでかつ、明るい画像データＬｗは１フレーム期間と短いことが特徴である。
【００７８】
図１４（Ｂ）は、立ち下がり時の応答輝度測定に用いる試験画像Ｔｆで、１フレーム目と、３〜４フレーム目と、６フレーム目は明るい画像データＬｗで、２フレーム目と５フレーム目は暗い画像データＬｂが配置される。
試験画像Ｔｆは、立ち下がり時の応答輝度測定に用いるため、暗い画像データＬｂの前後フレームは明るい画像データＬｗでかつ、暗い画像データＬｂは１フレーム期間と短いことが特徴である。
【００７９】
なお、基準画像Ｔｒと試験画像Ｔｒのフレーム数は同一でかつ、６フレーム間のアベレージピクチャーレベル（ＡＰＬ）は同じであることが望ましく、階調遷移回数が異なる。
同様に、基準画像Ｔｆと試験画像Ｔｆのフレーム数は同一でかつ、６フレーム間のアベレージピクチャーレベル（ＡＰＬ）は同じであることが望ましく、階調遷移回数が異なる。
【００８０】
図１５は、実施例３と図１０と同様に、横軸に時間、縦軸に液晶の透過率を示し、画素の明るさが暗い→明るい→暗いと変化した場合の、前面センサ直下に表示された領域の液晶の透過率の遷移の様子を示す。図１５（Ａ）は、基準画像を表示した際の透過率遷移と積分輝度の一例を示し、図１５（Ｂ）及び図１５（Ｃ）は、試験画像を表示した際の透過率遷移と積分輝度の一例を示す。
【００８１】
図１５（Ａ）は、液晶パネル１に基準画像を表示した際の透過率遷移ａと、透過率遷移ａを６フレーム期間積分した輝度値である積分輝度ａの関係を示す。
基準画像は、試験画像より遷移頻度が少なく静止画に近い画像であるため、液晶の応答遅れによる輝度変化の影響を受けにくいため、実施例４では積分輝度ａの輝度値を基準輝度として定義する。
なお、より高精度は測定が必要な場合、又は、より低輝度条件での測定が必要な場合は、基準画像と試験画像のフレーム数を増やすとともに、増加分に応じて積分時間を増やしてもよい。
また、実施例４においては、図１５（Ａ）の基準輝度は予め測定してあるものとし、基準輝度は予め保持されているものとする。
【００８２】
図１５（Ｂ）は、液晶の温度が２５℃時に、試験画像を表示した際の透過率遷移ｂと、透過率遷移ｂを６フレーム期間の積分輝度である積分輝度ｂの関係の一例を示し、積分輝度ｂを応答輝度１と定義する。
応答輝度１は基準輝度に対し７５％となっているため、液晶の応答速度は基準より遅い状態であると判定できる。
これは、液晶の応答速度は、液晶の温度が低いほど遅くなる傾向にあるため、本状態においては応答速度補正の補正値のゲインが不足していることを示す。
【００８３】
図１５（Ｃ）は、液晶の温度が３５℃時に試験画像を表示した際の透過率遷移ｃと、透過率遷移ｃを６フレーム期間の積分輝度である積分輝度ｃの関係の一例を示し、積分輝度ｃを応答輝度２と定義する。
応答輝度２は、基準輝度と同じ１００％となっているため、液晶の応答速度が基準と同等の状態であると判定できる。
つまり、基準輝度と応答輝度（第３測定値）とが等しい（乖離が小さい）場合は、応答速度補正の補正値のゲインが適切になっていることを示す（応答速度補正部８の補正の効果が正常である）。基準輝度と応答輝度（第３測定値）とが異なる（乖離が大きい）場合は、応答速度補正の補正値のゲインが不適切である（応答速度補正部８の補正の強度を調整する必要がある）と判定できる。
【００８４】
なお、応答輝度１は基準輝度に満たしていないため、応答速度補正部８で適用する補正値のゲインを基準輝度に近づくような補正値を適用することで、始動直後や低温環境時においても良好な応答速度で画像を表示することが可能となる。
【００８５】
次に、応答速度と相関性のある基準輝度と応答輝度を測定し、測定結果を用いて応答速度補正の補正強度を変更するためのフローチャートを図１６に示す。
以下、図１６に示す各ステップについて詳細に説明する。
【００８６】
ステップＳ１６１では、基準輝度測定用の基準画像を前面センサ直下のエリアに所定の時間表示する。このステップＳ１６１は、制御部５がパターン生成部６に対し予め定めた基準画像を前面センサ直下のエリアに所定（６フレーム期間）の時間表示するように指示を出す。パターン生成部６は、指示を受けた後、指示通り基準画像を前面センサ直下のエリアに所定の時間表示する。なお、基準画像としては、図１３（Ａ）や（Ｂ）で示した画像を表示する。また、図１３（Ａ）は、立ち上りの応答輝度を測定する際に、基準画像として用いられ、図１３（Ｂ）は、立ち下がりの応答輝度を測定する際に、基準画像として用いられる。
【００８７】
ステップＳ１６２では、制御部５が前面センサ９に対し、実施例４では６フレーム期間の測定時間で積分輝度を測定するように指示する。指示を受けた前面センサ９は、積分輝度ａを測定する。
【００８８】
ステップＳ１６３では、積分輝度ａを基準輝度（Ｌ０）として保持する。
【００８９】
ステップＳ１６４では、応答輝度測定用の試験画像を前面センサ直下のエリアに所定の時間表示する。このステップＳ１６４は、制御部５がパターン生成部６に対し予め定めた試験画像を前面センサ直下のエリアに所定（６フレーム期間）の時間表示するように指示を出す。なお、試験画像としては、図１４（Ａ）や（Ｂ）で示した、画像を表示する。ただし、試験画像は基準画像とは異なる画像を用いるものとする。
【００９０】
ステップＳ１６５では、制御部５が前面センサ９に対し、実施例４では６フレーム期間の測定時間で積分輝度を測定するように指示する。このステップＳ１６５は変化量管理部１０が前面センサ９に対し、測定した積分輝度ｂを変化量管理部１０へ出力するように要求し、変化量管理部１０は前面センサ９から受信した応答輝度（Ｌ１）として保存する。
【００９１】
ステップＳ１６６では、変化量管理部１０が前面センサ９から基準輝度（Ｌ０）と応答輝度（Ｌ１）を受信し、保存した基準輝度（Ｌ０）と応答輝度（Ｌ０）から応答率ＯＤｋ＝Ｌ１／Ｌ０を計算する。
【００９２】
ステップＳ１６７では、制御部５が変化量管理部１０で計算した応答率ＯＤｋを受信して、応答率ＯＤｋが１か否かを判定し、１であればステップＳ１６８に進む。また、応答率ＯＤｋが１以外の場合は、ステップＳ１６９に進む。なお、応答率ＯＤｋの判定に閾値を設けても良く、その際は、例えば応答率ＯＤｋが０．９〜１．１の範囲内であれば、ステップＳ１６８に進み、０．９〜１．１の範囲外であったらステップＳ１６９に進む。
【００９３】
ステップＳ１６８では、基準輝度と応答輝度との乖離がない又は一定以下であるため、応答速度補正の強度を決定する補正値のゲインを変更しない。
【００９４】
一方で、ステップＳ１６９では、基準輝度と応答輝度との乖離しているため、応答速度補正の強度を決定する補正値又はゲインを基準輝度に近づけるように変更して、ステップＳ１６１に戻る。例えば、応答輝度（第３測定値）が基準輝度より小さい場合、応答速度補正部８の補正の強度を強くする調整を行う。応答輝度（第３測定値）が基準輝度より大きい場合、応答速度補正部８の補正の強度を弱くする調整を行う。
【００９５】
上記のフローチャートで、基準輝度と応答輝度を実測し、２つ測定値の乖離状態から応答速度補正を決定するため、温度変化時においても良好な動画表示性能を提供可能となる。
【００９６】
なお、実施例４では、応答速度補正がオンの状態において、試験画像と基準画像とを異なる画像とし、応答速度の測定を行うこととしているが、応答速度補正をオフ、又はオンとオフの状態で測定して、応答速度の判定を行ってもよい。この場合は、試験画像と基準画像とを同一の画像とすることもできる。
この場合は、応答速度補償手段が有効な場合と無効な場合の積分輝度によって応答速度補償手段の品質を判定することによって、応答速度補償手段が期待されるとおりに機能しているか品質判定する判定装置又はその一部として用いることもできる。
【００９７】
実施例３，４によれば、ユーザの要求に応じて、判定装置が表示装置の輝度センサを用いて応答速度補正機能のオンとオフの場合の積分輝度を取得し、各々の積分輝度の比率又は差から応答速度補正機能の品質を自動で確認することが可能となる。
さらに、本発明によれば、基準輝度と画面上に設けた輝度センサで測定した応答輝度とを比較することで、低輝度時又は、暗部での階調遷移における応答速度の補正度合いを正しく測定でできるため、所望の応答速度になるように応答速度補正が実施できる。
これにより、ユーザの利便性を向上させることができる。
【００９８】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９９】
１：液晶パネル、５：制御部、６：パターン生成部、７：画面合成部、８：応答速度補正部、９：前面センサ、１１：品質管理部
【図１】
2018056717.tif 000003
【図２】
2018056717.tif 000004
【図３】
2018056717.tif 000005
【図４】
2018056717.tif 000006
【図５】
2018056717.tif 000007
【図６】
2018056717.tif 000008
【図７】
2018056717.tif 000009
【図８】
2018056717.tif 000010
【図９】
2018056717.tif 000011
【図１０】
2018056717.tif 000012
【図１１】
2018056717.tif 000013
【図１２】
2018056717.tif 000014
【図１３】
2018056717.tif 000015
【図１４】
2018056717.tif 000016
【図１５】
2018056717.tif 000017
【図１６】
2018056717.tif 000018